(57)【要約】      （修正有）【課題】歪補償回路を備えたデジタル無線機の場合、電力増幅回路の出力を一定に保つためにＡＰＣ回路が必要であったが、このＡＰＣ回路を不要として、小型、低価格の無線機を提供する。【解決手段】歪補償回路を備えたデジタル無線機の場合、電力増幅回路の歪信号を方向性結合器で検出し直交復調器やＡＤＣ（アナログデジタルコンバータ）を介して制御回路に入力して、歪信号を打ち消すように制御している。前記方向性結合器の検出信号レベルは電力増幅回路の出力に比例するので、そのレベルを一定に保つように制御回路が電力増幅回路の利得を制御することで、ＡＰＣ回路なしに電力増幅回路の出力を一定に保つ。【選択図】図１
2008271162.tif 000002
【特許請求の範囲】
【請求項１】
カーテシャンループ方式歪補償回路または直交復調プリディストーション方式歪補償回路を使用しているデジタル無線機において、
方向性結合器で電力増幅回路からの出力に比例する信号を検出して、この検出信号を直交復調器およびＡＤＣ（アナログデジタルコンバータ）を介して制御回路に入力して、この制御回路はＤＡＣ（デジタルアナログコンバータ）を介して前記電力増幅回路の利得を制御して、前記方向性結合器からの信号レベルが一定になるように制御することにより電力増幅回路の出力を一定にすることを特徴とするデジタル無線機。
【請求項２】
周波数変換プリディストーション方式歪補償回路を使用しているデジタル無線機において、
方向性結合器で電力増幅回路からの出力に比例する信号を検出して、この検出信号を周波数変換器およびＡＤＣ（アナログデジタルコンバータ）を介して制御回路に入力して、この制御回路はＤＡＣ（デジタルアナログコンバータ）を介して前記電力増幅回路の利得を制御して、前記方向性結合器からの信号レベルが一定になるように制御することにより電力増幅回路の出力を一定にすることを特徴とするデジタル無線機。
【発明の詳細な説明】
【技術分野】
【０００１】
本発明は送信波の隣接チャネルへの漏洩電力を低減するために、歪補償回路を使用しているデジタル無線機の電力増幅回路の出力を一定に保つためのＡＰＣ（Ａｕｔｏｍａｔｉｃ  Ｐｏｗｅｒ  Ｃｏｎｔｏｒｏｌ）回路に関するものである。
【背景技術】
【０００２】
従来の技術を図４、５，６により説明する。図４は歪補償回路にカーテシャンループ方式を使用しているブロック図である。
カーテシャンループ方式での歪補償の動作は、方向性結合器６で電力増幅回路からの歪信号を取り出して、直交復調器９で直交復調したベースバンド信号（Ｉ＿ｆ、Ｑ＿ｆ）を歪信号逆相増幅器３に入力する。また、この信号はＡＤＣ（アナログデジタルコンバータ）８で変換され制御回路１にも入力する。
【０００３】
制御回路１からの出力はＤＡＣ（デジタルアナログコンバータ）２で変換され送信のベースバンド信号(Ｉ,Ｑ)として歪信号逆相増幅器３に入力する。制御回路1はベースバンド信号（Ｉ＿ｆ、Ｑ＿ｆ）と送信のベースバンド信号(Ｉ,Ｑ)の位相差が無くなるように制御して歪を打ち消して歪補償する。
【０００４】
また、ＡＰＣ回路は電力増幅回路からの出力を方向性結合器６で取り出しダイオード検波器１０で検波し、検波した結果得られる直流電圧が基準電圧１１と常に等しくなるよう比較回路１１を用いて電力増幅回路５の利得を制御することで電力増幅回路からの出力を一定にしている。
【０００５】
上述したＡＰＣ回路の欠点は、ダイオードの検波特性が温度で変わるために無線機の周囲温度の変化によって送信出力が変化してしまうことである。このダイオードの温度特性を補償するために、ここでは図示しないが温度補償回路も別途必要になる。
【０００６】
図５は歪補償回路に直交復調プリディストーション方式を使用しているブロック図である。
直交復調プリディストーション方式での歪補償の動作は、方向性結合器６で電力増幅回路からの歪信号を取り出して、直交復調器９で直交復調したベースバンド信号（Ｉ＿ｆ、Ｑ＿ｆ）を、ＡＤＣ８で変換して制御回路１に入力する。制御回路１は入力された信号から歪信号を演算して逆相の歪を発生させ、この逆相の信号をＤＡＣ２で変換して、送信のベースバンド信号(Ｉ,Ｑ)として直交変調器４に入力することで歪を打ち消す（歪補償）ように制御している。
【０００７】
また、ＡＰＣ回路の動作は図４に示すカーテシャンループ方式と同じである。また、このＡＰＣ回路の欠点も図４に示すカーテシャンループ方式と同じである。
【０００８】
図６は歪補償回路に周波数変換プリディストーション方式を使用しているブロック図である。
周波数変換プリディストーション方式での歪補償の動作は、方向性結合器６で電力増幅回路からの歪信号を取り出して、周波数変換器１３で中間周波数に変換し、ＡＤＣ８で変換され制御回路１に入力する。制御回路１は入力された信号から歪信号を演算して歪と逆相の歪を発生させ、この逆相の信号をＤＡＣ２で変換して、直交変調器４に入力することで歪を打ち消す（歪補償）ように制御している。
【０００９】
また、ＡＰＣ回路の動作は図４に示すカーテシャンループ方式と同じである。また、このＡＰＣ回路の欠点も図４に示すカーテシャンループ方式と同じである。
【００１０】
【特許文献１】特開２００２−２３２５００号公報
【発明の開示】
【発明が解決しようとする課題】
【００１１】
上述した従来の方式では電力増幅回路からの出力を一定に保つための専用のＡＰＣ回路を設けているため、この回路用の部品が必要となる。また、ＡＰＣ回路にはダイオード検波回路が必要であり、温度補償回路も必要となり回路が複雑になるという問題があった。
【００１２】
図４、図５、図６に示したとおり、歪補償回路を備えたデジタル無線機の場合、前記、いずれの方式も、電力増幅回路５からの出力を方向性結合器６で取り出して、直交復調器９または周波数変換器１３およびＡＤＣ８を介して制御回路１に入力している。本発明は、方向性結合回路６からの信号レベルは電力増幅回路５の出力に比例するため、そのレベルを一定に保つように制御回路１が電力増幅回路５の利得を制御することで、従来のＡＰＣ回路なしに電力増幅回路５の出力を一定に保つことを目的とする。
【課題を解決するための手段】
【００１３】
カーテシャンループ方式歪補償回路または直交復調プリディストーション方式歪補償回路を使用しているデジタル無線機において、
方向性結合器で電力増幅回路からの出力に比例する信号を検出して、この検出信号を直交復調器およびＡＤＣ（アナログデジタルコンバータ）を介して制御回路に入力して、この制御回路はＤＡＣ（デジタルアナログコンバータ）を介して前記電力増幅回路の利得を制御して、前記方向性結合器からの信号レベルが一定になるように制御することにより電力増幅回路の出力を一定にする。
【００１４】
周波数変換プリディストーション方式歪補償回路を使用しているデジタル無線機において、
方向性結合器で電力増幅回路からの出力に比例する信号を検出して、この検出信号を周波数変換器およびＡＤＣ（アナログデジタルコンバータ）を介して制御回路に入力して、この制御回路はＤＡＣ（デジタルアナログコンバータ）を介して前記電力増幅回路の利得を制御して、前記方向性結合器からの信号レベルが一定になるように制御することにより電力増幅回路の出力を一定にする。
【発明の効果】
【００１５】
図４、図５、図６に示したとおり、歪補償回路を備えたデジタル無線機の場合、前記、いずれの方式も、電力増幅回路５からの出力を方向性結合器６で取り出して、直交復調器９または周波数変換器１３およびＡＤＣ８を介して制御回路１に入力している。方向性結合回路６からの信号レベルは電力増幅回路５の出力レベルに比例するため、そのレベルを一定に保つように制御回路１が電力増幅回路５の利得を制御することで、従来のＡＰＣ回路なしに電力増幅回路５の出力を一定に保つことを目的とする。
【００１６】
本発明によれば、電力増幅回路の出力を一定に保つために必要であった専用のＡＰＣ回路を不要とできるので、無線機の小型化および低価格化が可能となる。また、ダイオードでの検波も不要となるので、ダイオードの温度補償回路が不要となる。温度補償が不要なので、温度変化に対する送信出力変動も改善可能となる。
【実施例】
【００１７】
以下本発明の実施例を図１，図２、図３で説明する。図１は歪補償回路にカーテシャンループ方式を使用している場合のブロック図である。
カーテシャンループ方式での歪補償の動作は従来方式と同じであるので、ここでは、電力増幅回路からの出力を一定にする動作について説明する。
【００１８】
方向性結合器６で電力増幅回路５の出力に比例した信号を検出して、直交復調器９、およびＡＤＣ８を介して、制御回路１に入力する。制御回路１は方向性結合器６からの信号レベルが一定になるようにＤＡＣ１４を介して電力増幅回路５の利得制御を行う。このようにして、従来必要であったＡＰＣ回路なしで送信出力を一定に保つことが出来る。
【００１９】
図２は歪補償回路に直交復調プリディストーション方式を使用している場合のブロック図である。
直交復調プリディストーション方式での歪補償の動作は従来方式と同じである。ここでは、電力増幅回路からの出力を一定にする動作について説明する。
【００２０】
方向性結合器６で電力増幅回路５の出力に比例した信号を検出して、直交復調器９、およびＡＤＣ８を介して、制御回路１に入力する。制御回路１は方向性結合器６からの信号レベルが一定になるようにＤＡＣ１４を介して電力増幅回路５の利得制御を行う。このようにして、従来必要であったＡＰＣ回路なしで送信出力を一定に保つことが出来る。
【００２１】
図３は歪補償回路に周波数変換プリディストーション方式を使用している場合のブロック図である。
周波数変換プリディストーション方式での歪補償の動作は従来方式と同じである。ここでは、電力増幅回路からの出力を一定にする動作について説明する。
【００２２】
方向性結合器６で電力増幅回路５の出力に比例した信号を検出して、周波数変換器１３、およびＡＤＣ８を介して、制御回路１に入力する。制御回路１は方向性結合器６からの信号レベルが一定になるようにＤＡＣ１４を介して電力増幅回路５の利得制御を行う。このようにして、従来必要であったＡＰＣ回路なしで送信出力を一定に保つことが出来る。
【００２３】
以上説明したように、本発明によれば、電力増幅回路の出力を一定に保つために必要であった専用のＡＰＣ回路を不要とできるので、無線機の小型化および低価格化が可能となる。また、ダイオードでの検波も不要となるので、ダイオードの温度補償回路が不要となる。温度補償が不要なので、温度変化に対する送信出力変動も改善可能となる。
【図面の簡単な説明】
【００２４】
【図１】本発明の実施例である無線機の構成を示すブロック図。
【図２】本発明の実施例である無線機の構成を示すブロック図。
【図３】本発明の実施例である無線機の構成を示すブロック図。。
【図４】従来の例を示すブロック図。
【図５】従来の例を示すブロック図。
【図６】従来の例を示すブロック図。
【符号の説明】
【００２５】
１        制御回路
２,１４  ＤＡＣ（デジタルアナログコンバータ）
３        歪信号逆相増幅器
４       直交変調器
５       電力増幅回路
６       方向性結合器
７       アンテナ回路
８       ＡＤＣ（アナログデジタルコンバータ）
９       直交復調器
１０     ダイオード検波器
１１     比較回路
１２     基準電圧
１３     周波数変換器
【図１】
2008271162.tif 000003
【図２】
2008271162.tif 000004
【図３】
2008271162.tif 000005
【図４】
2008271162.tif 000006
【図５】
2008271162.tif 000007
【図６】
2008271162.tif 000008